【事件の表示】
　平成１０年特許願第１９８１４２号「吸引ポンプ用ディップバー」拒絶査定不服審判事件〔平成１２年　１月１８日出願公開、特開２０００−　１６４７３〕について、次のとおり審決する。
【結　論】
　本件審判の請求は、成り立たない。
【理　由】
１　手続の経緯
　本願は、平成１０年６月３０日の出願であって、平成１９年５月１日付けで拒絶査定がなされ、これに対し、平成１９年６月２８日に拒絶査定に対する審判請求がなされ、平成１９年７月３０日に手続補正がなされたものである。
　
２　平成１９年７月３０日にした手続補正（以下、「本件手続補正」という。）についての補正却下の決定
〔補正却下の決定の結論〕
　本件手続補正を却下する。
〔理由〕
　本件手続補正は、補正前の特許請求の範囲の請求項１ないし４の記載
「【請求項１】上部は、その外周面に吸引口に向かって延長する溝が形成されており、下部は、吸引口に連続し先端が袋の底部に向かって延長する隙間保持杆からなることを特徴とする吸引ポンプ用ディップバー。
【請求項２】隙間保持杆の断面形状が二方向以上に突出した形状であることを特徴とする請求項１に記載の吸引ポンプ用ディップバー。
【請求項３】袋が容器の底の端部の１個所あるいは２個所に接合していることを特徴とする請求項１または２に記載の吸引ポンプ用ディップバー。
【請求項４】請求項１〜３に記載のディップバーが装着されていることを特徴とする吸引ポンプ。」を、
「【請求項１】上部は、その外周面に吸引口に向かって延長する溝が形成されており、下部は、吸引口に連続し先端が袋の底部に向かって延長する隙間保持杆からなることを特徴とする吸引ポンプ用ディップバー。
【請求項２】隙間保持杆の断面形状が二方向以上に突出した形状であることを特徴とする請求項１に記載の吸引ポンプ用ディップバー。
【請求項３】吸引口は、吸引部の底面および側面に開口していることを特徴とする請求項１または２に記載の吸引ポンプ用ディップバー。
【請求項４】請求項１〜３に記載のディップバーが装着されていることを特徴とする吸引ポンプ。」
と補正するものである。
　上記補正は、補正前の請求項３に記載されている、「袋が容器の底の端部の１個所あるいは２個所に接合している」との事項を削除して「吸引口は、吸引部の底面および側面に開口している」との事項を付加するものであるから、この補正は特許請求の範囲を変更するものであって、平成１８年改正前特許法第１７条の２第４項各号に規定する、請求項の削除、特許請求の範囲の減縮、誤記の訂正、明りょうでない記載の釈明のいずれを目的とするものとも認められない。
　したがって、本件手続補正は、平成１８年改正前特許法第１７条の２第４項の規定に違反するものであり、特許法第１５９条第１項において読み替えて準用する同法第５３条第１項の規定により、却下すべきものである。
　よって、結論のとおり決定する。
　
３　本願発明について
（１）本願発明
　上記のとおり、本件手続補正は却下されたので、本願の請求項１ないし４に係る発明は、平成１９年４月２日にした手続補正により補正された明細書の特許請求の範囲の請求項１ないし４に記載された事項により特定されるものと認められるところ、請求項１は次のとおり記載されている。
「【請求項１】上部は、その外周面に吸引口に向かって延長する溝が形成されており、下部は、吸引口に連続し先端が袋の底部に向かって延長する隙間保持杆からなることを特徴とする吸引ポンプ用ディップバー。」
（以下、請求項１に係る発明を、「本願発明１」という。）
　
（２）引用例の記載事項　
　原査定の拒絶の理由に引用された、本願の出願前に頒布された刊行物である特開平８−３１０５７５号公報（以下、「引用例」という。）には、次の記載がある。　　
「【０００１】【産業上の利用分野】本発明は液体注出ポンプに関し、詳しくは、可撓性の液充填袋を内装した容器体に装着して使用する液体注出ポンプに関する。」
「【０００５】【発明が解決しようとする課題】…従来のものに於いては、使い初めのときには問題ないが、収納液が少なくなってくると液充填袋が吸い上げパイプ等に密着し易くなり、吸い上げパイプ下端開口が塞がれて、収納液を吸引することができなくなる。このため、ポンプが完全復帰することができなくなり、収納液が残留するという問題があった。
【０００６】また、液充填袋が吸い上げパイプ等に密着することによって、液充填袋上部にある収納液が吸い上げパイプ下端開口まで流下することを阻止し、併せて液充填袋の底部が重点的にしぼむことによって収納液が上部に溜まることとなる。このように収納液が液充填袋の上部に残留しては不経済である。
【０００７】本発明はこのような従来の技術の欠点に鑑みなされたもので、液充填袋が収納液のシリンダ内への吸い上げの邪魔をすることがなく円滑且つ確実な液の注出が行えるとともに、収納液の略全量を注出することが出来、しかも生産性に優れた安価に製造できる液体注出ポンプを提案するものである。」
「【０００８】【課題を解決するための手段】本請求項１発明ポンプは上記課題を解決するため、収納液の取り出しによる内部負圧化に伴って収縮する収納液密閉用の液充填袋２を有する容器体３に取り付けて使用されるポンプであって、上記容器体内上部に垂下させてその底壁１４中央に吸引口１５を開口させたシリンダ４と、該シリンダ内に摺動可能に嵌合させた環状ピストン２２を下部に有するとともに、上端部の押し下げヘッド２３を容器体上方へ突出させて上方付勢状態で上下動可能に設けた上下動部材５とを備え、該部材５の上下動により容器体内の液をシリンダ４内へ吸い上げてヘッド２３の注出口より注出する如く構成した液体注出ポンプに於いて、上記シリンダ４の周壁１３外面及び底壁１４下面を凹凸面Ａに形成し、上記吸引口１５周囲のシリンダ底壁下面に上端を連結して下端を液充填袋２内底部に垂下させ、且つ、液充填袋による吸引口の閉塞を邪魔するための隙間保持体６をシリンダ４と一体に形成してなることを特徴とする液体注出ポンプとして構成した。」
「【００１３】【作用】液充填袋２内の液が減少することにより該袋がしぼんでも、隙間保持体６の存在で吸引口１５を閉塞することは無い。
【００１４】また、シリンダ周壁１３外面及び底壁１４下面を凹凸面Ａに形成しているので、しぼんだ液充填袋２がシリンダ外面に密着しない。」
「【００１９】……本実施例では、周壁１３外面上端より下端に至り、更に底壁１４下面中央部に至る凹溝１６を周方向多数形成して凹凸面Ａを形成している。」
「【００２２】…シリンダ４内には吸い込み弁２１を設けている。この吸い込み弁２１は、シリンダ周壁１３内下端部に嵌着させたリング状の枠部２１ａと、上記吸引口１５上面を閉塞する弁板２１ｂとを周方向複数の弾性板部２１ｃにより一体に連結させて構成した公知機構のものである。」
「【００２６】…ヘッド２３を押し下げるとシリンダ４内が加圧されるとともに、環状ピストン２２がステム２４に対して相対的に押し上げられ、加圧液がシリンダ４より透孔２７を通りステム２４を介してノズル２５先端の注出口から外部に注出される。一方、上下動部材５が上昇する際はシリンダ４内が負圧化し、環状ピストン２２が相対下降して透孔２７を閉塞させるとともに、吸い込み弁２１が開いて容器体内の液をシリンダ４内へ導入する。」
　　
　以上の記載及び図１ないし図１０によれば、引用例には、次の発明が記載されていると認められる。
　底壁１４中央に吸引口１５を開口させたシリンダ４の周壁１３外面及び底壁１４下面を、周壁１３外面から底壁１４下面中央部に至る凹溝１６を多数形成して凹凸面Ａに形成し、吸引口１５周囲のシリンダ底壁下面に上端を連結して下端を液充填袋２内底部に垂下させ、且つ、液充填袋による吸引口の閉塞を邪魔するための隙間保持体６をシリンダ４と一体に形成してなる液体注出吸引ポンプのピストンシリンダ。
　
（３）対比　　　　　　　　　　　　　　　　　　
　本願発明１と引用例記載の発明とを対比すると、本願発明１は、「上部は、外周面に吸引口に向かって延長する溝が形成され」ることにより、「袋が吸引ポンプ用ディップバーの上部に密接した場合にも、吸引ポンプ用ディップバーの上部に溜まっている液体等の充填物は、溝と袋との間を通って吸入口に流れる」（本願明細書段落【００１２】）というものであるところ、引用例記載の発明は、「底壁１４中央に吸引口１５を開口させたシリンダ４の周壁１３外面及び底壁１４下面を、周壁１３外面から底壁１４下面中央部に至る凹溝１６を多数形成して凹凸面Ａに形成」することにより、「しぼんだ液充填袋２がシリンダ外面に密着しない。」（上記段落【００１４】）という同様の作用を奏するものであるから、引用例記載の発明の「底壁１４中央に吸引口１５を開口させたシリンダ４の周壁１３外面及び底壁１４下面を、周壁１３外面上端から底壁１４下面中央部に至る凹溝１６を多数形成して凹凸面Ａに形成」は、本願発明１の「上部は、その外周面に吸引口に向かって延長する溝が形成され」に相当する。
　また、引用例記載の発明の「隙間保持体６」は、本願発明１の「隙間保持杆」に相当することは明らかであるから、両者は、
「上部は、その外周面に吸引口に向かって延長する溝が形成されており、下部は、吸引口に連続し先端が袋の底部に向かって延長する隙間保持杆からなる」
点で一致し、次の点で相違する。
［相違点］
　本願発明１は、「吸引ポンプ用ディップバー」であるのに対して、引用例記載の発明は、吸引ポンプのピストンシリンダ、である点。
　
（４）相違点の検討
　上記相違点について検討すると、引用例記載の発明のピストンシリンダを含む吸引ポンプは、複数の部材を組み合わせて作成されるものであり、各部材を必要に応じて別部材とすることは、各部材の形状、組み付け易さ等を考慮して、当業者が適宜行うことであるから、引用例記載の発明のピストンシリンダの吸引部を別体として製造し、本願発明１の、吸引ポンプ用ディップバーとすることは、当業者であれば格別の困難性を伴うことなく、容易に想到し得たものである。
　
　そして、本願発明１が奏する効果も、引用例記載の発明から当業者が予測できたものであり、格別顕著なものとはいえない。　
　したがって、本願発明１は、引用例記載の発明に基いて、当業者が容易に発明をすることができたものである。
　
（５）むすび
　以上のとおり、本願発明１は、特許法第２９条第２項の規定により特許を受けることができないものであり、他の請求項に係る発明について検討するまでもなく、本願は拒絶されるべきものである。
　よって、結論のとおり審決する。